(57)【要約】【課題】  紫外線指数情報を画面上に地図を利用して表示することにより、使用者が周辺地域の紫外線情報を容易に識別でき、さらに、使用者に所定水準以上の紫外線検出地域に進入したことを警告できる携帯端末機の紫外線指数情報提供装置及び方法を提供する。【解決手段】  所定位置で一定時間ごとに紫外線指数を測定し、前記測定された紫外線指数情報をサーバーに転送する複数の紫外線指数測定器と、前記複数の紫外線指数測定器から紫外線指数情報を受信して紫外線指数マップを作成するサーバーと、前記サーバーから紫外線指数マップ情報を受信して所定距離間隔で区画された格子状のマップに各格子に該当する紫外線指数をレベル別に区分して表示する携帯端末機とから構成されることを特徴とする携帯端末機の紫外線指数情報提供システム。【選択図】  図３
2006017708.tif 000002
【特許請求の範囲】
【請求項１】
所定位置で一定時間ごとに紫外線指数を測定し、前記測定された紫外線指数情報をサーバーに転送する複数の紫外線指数測定器と、
前記複数の紫外線指数測定器から紫外線指数情報を受信して紫外線指数マップを作成するサーバーと、
前記サーバーから紫外線指数マップ情報を受信して所定距離間隔で区画された格子状のマップに各格子に該当する紫外線指数をレベル別に区分して表示する携帯端末機と、
から構成されることを特徴とする携帯端末機の紫外線指数情報提供システム。
【請求項２】
前記サーバーが、
前記複数の紫外線指数測定器から紫外線指数情報を受信してまとめる第１サーバーと、
前記第１サーバーからまとめられた紫外線指数情報を受信し、前記受信された情報に基づいて紫外線指数マップを作成する第２サーバーとを含むことを特徴とする請求項１に記載の携帯端末機の紫外線指数情報提供システム。
【請求項３】
前記紫外線指数マップが、
紫外線指数が測定された全体地域を所定間隔で区画し、前記区画された位置ごとの紫外線指数が表示されることを特徴とする請求項１に記載の携帯端末機の紫外線指数情報提供システム。
【請求項４】
前記携帯端末機が、
前記マップ上に所定半径を有する境界円を設定し、前記境界円内の紫外線指数が所定値以上であるか否かを判断することを特徴とする請求項１に記載の携帯端末機の紫外線指数情報提供システム。
【請求項５】
前記携帯端末機が、
前記判断結果、前記境界円内の紫外線指数が所定値以上であると、使用者に所定値以上の紫外線指数の検出地域に進入したことを警告することを特徴とする請求項１に記載の携帯端末機の紫外線指数情報提供システム。
【請求項６】
サーバーから紫外線指数マップを受信する受信部と、
携帯端末機の現在位置を測定する位置測定部と、
使用者が紫外線指数情報提供条件を入力する入力部と、
前記紫外線指数マップ、携帯端末機の位置、所定距離間隔で区画された格子、レベル別の紫外線指数を表示する表示部と、
所定値以上の紫外線指数の検出地域に進入すると、使用者に警告を出力する出力部と、
から構成されることを特徴とする携帯端末機の紫外線指数情報提供装置。
【請求項７】
前記位置測定部が、
ＧＰＳを利用して携帯端末機の現在位置を測定し、前記測定された位置を前記表示部の紫外線指数マップ上に表示することを特徴とする請求項６に記載の携帯端末機の紫外線指数情報提供装置。
【請求項８】
前記紫外線指数情報提供条件が、
紫外線指数マップの大きさ、前記マップを複数のセルに分割する格子の間隔、マップ表示方法、警告条件、警告手段を含むことを特徴とする請求項６に記載の携帯端末機の紫外線指数情報提供装置。
【請求項９】
前記警告条件が、
警告機能が活性化している時間を判断する警告時間条件と、
所定値以上の紫外線指数の検出地域と使用者間の距離を判断する警告距離条件とを含むことを特徴とする請求項８に記載の携帯端末機の紫外線指数情報提供装置。
【請求項１０】
前記警告手段が、
警告音、振動、ランプ、メッセージを含むことを特徴とする請求項８に記載の携帯端末機の紫外線指数情報提供装置。
【請求項１１】
使用者により紫外線指数マップ表示機能が動作すると、携帯端末機がＧＰＳ機能を利用して現在位置を測定する過程と、
現在位置の測定が完了すると、サーバーに現在位置の情報を転送し、紫外線指数マップのダウンロードを要求する過程と、
前記携帯端末機から紫外線指数マップのダウンロードが要求されたサーバーが、前記携帯端末機から受信した位置情報を読み取り、該当位置を中心とする紫外線指数マップを作成して携帯端末機に転送する過程と、
前記紫外線指数マップを受信した携帯端末機が使用者の表示設定に応じて前記紫外線指数マップを画面に表示する過程と、
周期的に紫外線指数マップを更新する過程と、
から構成されることを特徴とする携帯端末機の紫外線指数情報提供方法。
【請求項１２】
前記紫外線指数マップが、
紫外線指数が測定された全体地域を所定間隔で区画し、前記区画された位置ごとの紫外線指数が表示されることを特徴とする請求項１１に記載の携帯端末機の紫外線指数情報提供方法。
【請求項１３】
前記使用者の表示設定が、
前記紫外線指数マップの大きさ、格子の間隔、紫外線指数表示方法を含むことを特徴とする請求項１１に記載の携帯端末機の紫外線指数情報提供方法。
【請求項１４】
使用者により携帯端末機の紫外線指数警告条件と警告手段が設定され、紫外線指数警告機能が活性化すると、携帯端末機が現在位置を測定してサーバーに転送する過程と、
サーバーが携帯端末機の位置を中心とする紫外線指数マップを作成して携帯端末機に転送する過程と、
前記紫外線指数マップを受信した携帯端末機が使用者により設定された警告条件に該当する地域に進入すると、使用者が設定した警告手段を利用して警告条件に該当する地域に近接しているか、又は進入したという警告を実行する過程と、
周期的に紫外線指数マップのデータを更新する過程と、
から構成されることを特徴とする携帯端末機の紫外線指数情報提供方法。
【請求項１５】
前記警告条件が、
警告機能が活性化する時間を判断する警告時間条件と、
所定値以上の紫外線指数の検出地域と使用者との距離を判断する警告距離条件とを含むことを特徴とする請求項１４に記載の携帯端末機の紫外線指数情報提供方法。
【請求項１６】
前記警告手段が、
警告音、振動、ランプ、メッセージを含むことを特徴とする請求項１４に記載の携帯端末機の紫外線指数情報提供方法。
【発明の詳細な説明】
【技術分野】
【０００１】
本発明は、携帯端末機に関し、特に、使用者が携帯端末機を利用して紫外線指数に関する地域情報を確認するか、所定値以上の紫外線指数に対して使用者に警告する携帯端末機の紫外線指数情報提供装置及び方法に関する。
【背景技術】
【０００２】
紫外線（Ｕｌｔｒａｖｉｏｌｅｔ  ｒａｙｓ：  以下、ＵＶと称する）は、３９７〜１０ｎｍにわたる波長からなる広範囲の電磁気波の総称であり、一般に、波長が１００〜２８０ｎｍのＣ系列のＵＶ（ＵＶ−Ｃ）、２８０〜３１５ｎｍのＢ系列のＵＶ（ＵＶ−Ｂ）、３１５〜４００ｎｍのＡ系列のＵＶ（ＵＶ−Ａ）に区分される。前記ＵＶは、メラニン色素を破壊し、皮膚癌、白内障などの各種疾病を誘発するが、その大部分はオゾン層と呼ばれる大気層により遮断される。しかしながら、産業の高度化によりフロンガスなどのオゾン層破壊物質の排出が増加し、よって、オゾン層が次第に破壊されてきた。その結果、人々はＵＶに露出するようになった。一般には、前記ＵＶ−Ｂのみが有害であると認識されていたが、最近の学説によると、ＵＶ―Ａ及びＵＶ―Ｃも有害であるという。
【０００３】
従って、前記ＵＶを遮断するか、又は避ける方法に対する人々の関心が高くなり、使用者が現在位置する地域のＵＶ指数を表示する携帯用ＵＶ指数測定器まで市販されるようになった。前記ＵＶ指数とは、地表に到達する紫外線の放射量をいう。
【０００４】
図７は、従来の携帯用ＵＶ指数測定器の外形図である。
【０００５】
図７に示すように、従来の携帯用ＵＶ指数測定器１００は、携帯可能なサイズの本体１１０に液晶１２０が備えられ、使用者がスキャン（ＳＣＡＮ）ボタン１３０などの作動ボタンを押しさえすれば、本体に内蔵されたＵＶセンサー（図示せず）が測定器１００の現在位置のＵＶ指数を測定し、前記測定されたＵＶ指数は使用者に分かりやすいように数字で液晶１２０に表示される。
【０００６】
前記携帯用ＵＶ指数測定器１００のような従来のＵＶ指数測定器は、使用が簡便であるが、単に現在位置のＵＶ指数しか確認できない。従って、使用者は周辺地域の詳細なＵＶ指数が分からないため、ＵＶ指数の相対的に低い地域に移動することが難しいという問題点があった。
【発明の開示】
【発明が解決しようとする課題】
【０００７】
本発明は、このような問題点を解決するために提案されたもので、本発明の目的は、紫外線指数情報を画面上に地図を利用して表示することにより、使用者が周辺地域の紫外線情報を容易に識別できる携帯端末機の紫外線指数情報提供装置及び方法を提供することにある。
【０００８】
本発明の他の目的は、使用者に所定水準以上の紫外線検出地域への進入を警告することができる携帯端末機の紫外線指数情報提供装置及び方法を提供することにある。
【課題を解決するための手段】
【０００９】
このような目的を達成するために、本発明に係る携帯端末機のＵＶ指数情報提供システムは、所定位置で一定時間ごとにＵＶ指数を測定し、前記測定されたＵＶ指数情報をサーバーに転送する複数のＵＶ指数測定器と、前記複数のＵＶ指数測定器からＵＶ指数情報を受信してＵＶ指数が測定された全体地域を所定間隔で区画し、その区画された位置ごとのＵＶ指数を表示するＵＶ指数マップを作成するサーバーと、前記サーバーからＵＶ指数マップ情報を受信して所定距離間隔で区画された格子状のマップに各格子に該当するＵＶ指数をレベル別に区分して表示する携帯端末機とから構成されることを特徴とする。
【００１０】
好ましくは、前記サーバーは、前記複数のＵＶ指数測定器からＵＶ指数情報を受信してまとめる第１サーバーと、前記第１サーバーからまとめられたＵＶ指数情報を受信し、前記受信された情報に基づいてＵＶ指数マップを作成する第２サーバーとを含む。
【００１１】
好ましくは、前記携帯端末機は、前記マップ上に所定半径を有する境界円を設定して、前記境界円内のＵＶ指数が所定値以上であるか否かを判断し、前記判断結果、前記境界円内のＵＶ指数が所定値以上であると、使用者に所定値以上のＵＶ指数の検出地域に進入したことをベルや効果音などの音、画面へのメッセージ出力、振動などにより警告する。
【００１２】
このような目的を達成するために、本発明に係る携帯端末機のＵＶ指数情報提供装置は、サーバーからＵＶ指数マップを受信する受信部と、携帯端末機の現在位置を測定する位置測定部と、使用者がＵＶ指数情報提供条件を入力する入力部と、前記ＵＶ指数マップ、携帯端末機の位置、所定距離間隔で区画された格子、レベル別のＵＶ指数を表示する表示部と、所定値以上のＵＶ指数の検出地域に進入すると、使用者に警告を出力する出力部とから構成されることを特徴とする。
【００１３】
好ましくは、前記位置測定部は、ＧＰＳ（Ｇｌｏｂａｌ  Ｐｏｓｉｔｉｏｎｉｎｇ  Ｓｙｓｔｅｍ）を利用して携帯端末機の現在位置を測定し、前記測定された位置を前記表示部の地図（ＵＶ指数マップ）上に表示する。
【００１４】
好ましくは、前記入力部はキーパットであり、使用者がＵＶ指数情報提供条件として、ＵＶ指数マップの大きさ、前記マップを複数のセルに分割する格子の間隔、境界円の半径、警告条件、警告手段などの設定を入力する。
【００１５】
このような目的を達成するために、本発明に係る携帯端末機のＵＶ指数情報提供方法は、使用者によりＵＶ指数マップ表示機能が開始すると、携帯端末機がＧＰＳ機能を利用して現在位置を測定する過程と、現在位置の測定が完了すると、サーバーに現在位置の情報を転送し、ＵＶ指数マップのダウンロードを要求する過程と、前記携帯端末機からＵＶ指数マップのダウンロードが要求されたサーバーが、前記携帯端末機から受信した位置情報を読み取り、該当位置を中心とするＵＶ指数マップを作成して携帯端末機に転送する過程と、前記ＵＶ指数マップを受信した携帯端末機が使用者の表示設定に応じて前記ＵＶ指数マップを画面に表示する過程と、周期的にＵＶ指数マップを更新する過程とから構成されることを特徴とする。
【００１６】
このような目的を達成するために、本発明に係る携帯端末機のＵＶ指数情報提供方法は、使用者により携帯端末機のＵＶ指数警告機能が活性化すると、携帯端末機が現在位置を測定してサーバーに転送する過程と、サーバーが携帯端末機の位置を中心とするＵＶ指数マップを作成して携帯端末機に転送する過程と、前記ＵＶ指数マップを受信した携帯端末機が使用者により設定された警告条件に該当する地域に近接しているか、又は進入すると、使用者が設定した警告手段を利用して警告条件に該当する地域に近接しているか、又は進入したという警告を実行する過程と、周期的にＵＶ指数マップのデータを更新する過程とから構成されることを特徴とする。
【００１７】
上記目的を達成するために、本発明は、例えば、以下の手段を提供する。
（項目１）
所定位置で一定時間ごとに紫外線指数を測定し、前記測定された紫外線指数情報をサーバーに転送する複数の紫外線指数測定器と、
前記複数の紫外線指数測定器から紫外線指数情報を受信して紫外線指数マップを作成するサーバーと、
前記サーバーから紫外線指数マップ情報を受信して所定距離間隔で区画された格子状のマップに各格子に該当する紫外線指数をレベル別に区分して表示する携帯端末機と、
から構成されることを特徴とする携帯端末機の紫外線指数情報提供システム。
（項目２）
前記サーバーが、
前記複数の紫外線指数測定器から紫外線指数情報を受信してまとめる第１サーバーと、
前記第１サーバーからまとめられた紫外線指数情報を受信し、前記受信された情報に基づいて紫外線指数マップを作成する第２サーバーとを含むことを特徴とする項目１に記載の携帯端末機の紫外線指数情報提供システム。
（項目３）
前記紫外線指数マップが、
紫外線指数が測定された全体地域を所定間隔で区画し、前記区画された位置ごとの紫外線指数が表示されることを特徴とする項目１に記載の携帯端末機の紫外線指数情報提供システム。
（項目４）
前記携帯端末機が、
前記マップ上に所定半径を有する境界円を設定し、前記境界円内の紫外線指数が所定値以上であるか否かを判断することを特徴とする項目１に記載の携帯端末機の紫外線指数情報提供システム。
（項目５）
前記携帯端末機が、
前記判断結果、前記境界円内の紫外線指数が所定値以上であると、使用者に所定値以上の紫外線指数の検出地域に進入したことを警告することを特徴とする項目１に記載の携帯端末機の紫外線指数情報提供システム。
（項目６）
サーバーから紫外線指数マップを受信する受信部と、
携帯端末機の現在位置を測定する位置測定部と、
使用者が紫外線指数情報提供条件を入力する入力部と、
前記紫外線指数マップ、携帯端末機の位置、所定距離間隔で区画された格子、レベル別の紫外線指数を表示する表示部と、
所定値以上の紫外線指数の検出地域に進入すると、使用者に警告を出力する出力部と、
から構成されることを特徴とする携帯端末機の紫外線指数情報提供装置。
（項目７）
前記位置測定部が、
ＧＰＳを利用して携帯端末機の現在位置を測定し、前記測定された位置を前記表示部の紫外線指数マップ上に表示することを特徴とする項目６に記載の携帯端末機の紫外線指数情報提供装置。
（項目８）
前記紫外線指数情報提供条件が、
紫外線指数マップの大きさ、前記マップを複数のセルに分割する格子の間隔、マップ表示方法、警告条件、警告手段を含むことを特徴とする項目６に記載の携帯端末機の紫外線指数情報提供装置。
（項目９）
前記警告条件が、
警告機能が活性化している時間を判断する警告時間条件と、
所定値以上の紫外線指数の検出地域と使用者間の距離を判断する警告距離条件とを含むことを特徴とする項目８に記載の携帯端末機の紫外線指数情報提供装置。
（項目１０）
前記警告手段が、
警告音、振動、ランプ、メッセージを含むことを特徴とする項目８に記載の携帯端末機の紫外線指数情報提供装置。
（項目１１）
使用者により紫外線指数マップ表示機能が動作すると、携帯端末機がＧＰＳ機能を利用して現在位置を測定する過程と、
現在位置の測定が完了すると、サーバーに現在位置の情報を転送し、紫外線指数マップのダウンロードを要求する過程と、
前記携帯端末機から紫外線指数マップのダウンロードが要求されたサーバーが、前記携帯端末機から受信した位置情報を読み取り、該当位置を中心とする紫外線指数マップを作成して携帯端末機に転送する過程と、
前記紫外線指数マップを受信した携帯端末機が使用者の表示設定に応じて前記紫外線指数マップを画面に表示する過程と、
周期的に紫外線指数マップを更新する過程と、
から構成されることを特徴とする携帯端末機の紫外線指数情報提供方法。
（項目１２）
前記紫外線指数マップが、
紫外線指数が測定された全体地域を所定間隔で区画し、前記区画された位置ごとの紫外線指数が表示されることを特徴とする項目１１に記載の携帯端末機の紫外線指数情報提供方法。
（項目１３）
前記使用者の表示設定が、
前記紫外線指数マップの大きさ、格子の間隔、紫外線指数表示方法を含むことを特徴とする項目１１に記載の携帯端末機の紫外線指数情報提供方法。
（項目１４）
使用者により携帯端末機の紫外線指数警告条件と警告手段が設定され、紫外線指数警告機能が活性化すると、携帯端末機が現在位置を測定してサーバーに転送する過程と、
サーバーが携帯端末機の位置を中心とする紫外線指数マップを作成して携帯端末機に転送する過程と、
前記紫外線指数マップを受信した携帯端末機が使用者により設定された警告条件に該当する地域に進入すると、使用者が設定した警告手段を利用して警告条件に該当する地域に近接しているか、又は進入したという警告を実行する過程と、
周期的に紫外線指数マップのデータを更新する過程と、
から構成されることを特徴とする携帯端末機の紫外線指数情報提供方法。
（項目１５）
前記警告条件が、
警告機能が活性化する時間を判断する警告時間条件と、
所定値以上の紫外線指数の検出地域と使用者との距離を判断する警告距離条件とを含むことを特徴とする項目１４に記載の携帯端末機の紫外線指数情報提供方法。
（項目１６）
前記警告手段が、
警告音、振動、ランプ、メッセージを含むことを特徴とする項目１４に記載の携帯端末機の紫外線指数情報提供方法。
【発明の効果】
【００１８】
本発明に係る携帯端末機のＵＶ指数情報提供方法は、使用者が、自分の現在地域とその周辺地域の詳細なＵＶ指数をマップにより確認することができるため、ＵＶ指数の高い地域を避けてＵＶ指数の低い地域に移動することができ、使用者がＵＶ指数の高い地域に位置しなければならない場合は、使用者がＵＶを遮断できるように正確で効率的なサービスを提供することができるという効果がある。
【００１９】
また、本発明に係る携帯端末機のＵＶ指数情報提供方法は、有害な程度のＵＶ指数の検出地域に使用者が近接しているか、又は進入すると、それに対する警告をすることにより、使用者が移動中に携帯端末機の画面を注視せずとも有害地域を避けるか、それに対する適切な対応を図ることができるという効果がある。
【発明を実施するための最良の形態】
【００２０】
以下、図面を参照して本発明に係る携帯端末機のＵＶ指数情報提供装置及び方法の好ましい実施形態を説明する。
【００２１】
図１は、本発明に係るＵＶ指数情報提供システムの一実施形態の構成を示す図である。
【００２２】
図１に示すように、ＵＶ指数情報提供システム２００は、所定位置で一定時間ごとにＵＶ指数を測定し、その測定されたＵＶ指数情報をサーバー２２０に転送する複数のＵＶ指数測定器２１０−１〜２１０−ｎと、複数のＵＶ指数測定器２１０−１〜２１０−ｎからＵＶ指数情報を受信してＵＶ指数が測定された全体地域を所定間隔で区画し、その区画された位置ごとのＵＶ指数を表示するＵＶ指数マップを作成するサーバー２２０と、サーバー２２０からＵＶ指数マップ情報を受信して所定距離間隔で区画された格子状のマップに各格子に該当するＵＶ指数をレベル別に区分して表示する携帯端末機２３０とから構成される。
【００２３】
サーバー２２０は、複数のＵＶ指数測定器２１０−１〜２１０−ｎからＵＶ指数情報を受信してまとめる第１サーバー２２０−１と、第１サーバー２２０−１からまとめられたＵＶ指数情報を受信し、その受信された情報に基づいてＵＶ指数マップを作成する第２サーバー２２０−２とを含む。
【００２４】
携帯端末機２３０は、サーバー２２０からＵＶ指数マップをダウンロードして画面に表示すると共に、前記マップ上に所定半径の境界円を設定し、境界円内のＵＶ指数が所定値以上であるか否かを判断する。前記判断結果、境界円内のＵＶ指数が所定値以上であると、携帯端末機２３０は、警告音、振動又はメッセージ出力などにより使用者に所定値以上のＵＶ指数検出地域に進入したことを警告する。
【００２５】
図２は、本発明に係る携帯端末機のＵＶ指数情報提供装置の構成図である。
【００２６】
図２に示すように、携帯端末機３００は、サーバーに位置情報及びＵＶ指数マップダウンロード要求信号を伝送し、サーバーからＵＶ指数マップを受信する無線送受信部３１０と、携帯端末機３００の現在位置を測定する位置測定部３２０と、使用者がＵＶ指数情報提供条件を入力する入力部３３０と、前記ＵＶ指数マップ、携帯端末機３００の位置、所定距離間隔で分けられた格子、レベル別のＵＶ指数を表示する表示部３４０と、所定値以上のＵＶ指数検出地域に進入すると、使用者に警告を出力する出力部３５０とから構成される。
【００２７】
位置測定部３２０は、ＧＰＳを利用して携帯端末機３００の現在位置を測定し、その測定された位置を表示部３４０の地図（ＵＶ指数マップ）上に表示する。
【００２８】
入力部３３０はキーパッドであり、その入力部３３０を通じて使用者がＵＶ指数情報提供条件として、ＵＶ指数マップの大きさ、前記マップを複数のセルに分割する格子の間隔、警告条件、警告手段などの設定を入力する。
【００２９】
例えば、デフォルト値としてマップの大きさが使用者（携帯端末機）の現在位置を中心に東西南北にそれぞれ５００ｍずつ１ｋｍ×１ｋｍの大きさに設定されている場合、使用者は、入力部３３０を通じて「拡大」又は「縮小」などのメニュー機能を利用してマップの大きさを設定することにより２ｋｍ×２ｋｍ又は５００ｍ×５００ｍなどにマップの大きさを調節することができる。また、格子間隔がデフォルト値として５０ｍに設定されている場合、使用者は、入力部３３０を通じて格子間隔を１００ｍ又は１０ｍなどに適宜調節することができる。前述したようなマップの大きさ又は格子間隔の設定によりズームイン（ｚｏｏｍ  ｉｎ）又はズームアウト（ｚｏｏｍ  ｏｕｔ）の効果を得ることができる。
【００３０】
また、前述したように、警告距離条件として携帯端末機の位置を中心に半径を１０ｍ又は５０ｍなどに設定することにより境界円の大きさを調節することができ、警告手段として警告音、振動、表示部３４０へのメッセージ出力又はＬＥＤのようなランプの点滅などを選択することにより、適切な警告手段を使用者の状況に合わせて設定することができる。さらに、昼時間帯又はＵＶ指数の高い時間帯にのみ警告するように警告時間帯を設定することにより、不要なバッテリー消耗を防止することもできる。
【００３１】
図３は、本発明に係る携帯端末機のＵＶ指数情報提供方法の一実施形態の実現過程を示す図である。
【００３２】
図３を参照すると、携帯端末機は、使用者によりＵＶ指数マップ表示機能が動作すると、ＧＰＳ機能を利用して現在位置を測定する（Ｓ４１０）。現在位置の測定が完了すると、現在位置の情報をサーバーに転送すると同時に、ＵＶ指数マップのダウンロードを要求する（Ｓ４２０）。前記携帯端末機からＵＶ指数マップダウンロードが要求されたサーバーは、携帯端末機から受信した位置情報を読み取り、該当位置を中心とするＵＶ指数マップを作成して携帯端末機に転送する（Ｓ４３０）。前記ＵＶ指数マップを受信した携帯端末機は、使用者の表示設定により前記ＵＶ指数マップをそのまま表示するか、又は適宜変換して画面に表示する（Ｓ４４０）。また、周期的に携帯端末機が位置情報をサーバーに転送し、サーバーが携帯端末機からの位置情報に基づいて該当位置を中心とするマップを新しく作成して携帯端末機に転送することにより、周期的にＵＶ指数マップを更新する（Ｓ４５０）。
【００３３】
前述したように、前記サーバーが作成するＵＶ指数マップは、携帯端末機の位置を中心とする地域を所定間隔のセルに区画し、その区画された各セルをＵＶ指数のレベル別に違う色又は数値で表示する。
【００３４】
図４Ａ及び図４Ｂは、図３の実施形態のＵＶ指数マップ表示画面を示す図である。
【００３５】
図４Ａを参照すると、１つの格子の間隔が５０ｍであり、表示されるマップの大きさは３００ｍ×３００ｍである。画面には格子の間隔及び方位などが表示され、マップの中央には使用者の位置が表示されて、ＵＶ指数の高さに応じてレベル別に各セルが色で表示されている。ここでは、ＵＶ指数が高いほど濃い色で表示されている。
【００３６】
図４Ｂを参照すると、１つの格子の間隔が１０ｍであり、表示されるマップの大きさは１００ｍ×１００ｍである。画面には格子の間隔及び方位などが表示され、マップの中央には使用者の位置が表示されて、所定値以上のＵＶ指数を有するセルにのみ色がついている。すなわち、人体に害を与えるほどのＵＶ指数が検出された地域のみを表示する。
【００３７】
他に、前記ＵＶ指数マップの各セルに数値でＵＶ指数を表示するか、又は、所定値以下のＵＶ指数を有する安全地域のセルのみを表示することもできる。
【００３８】
図５は、本発明に係る携帯端末機のＵＶ指数情報提供方法の他の実施形態の実現過程を示す図である。
【００３９】
図５を参照すると、使用者により携帯端末機のＵＶ指数警告条件及び警告手段などが設定されて警告機能が活性化されると（Ｓ６１０）、携帯端末機は現在位置を測定してサーバーに転送し（Ｓ６２０）、サーバーは携帯端末機の位置を中心とするＵＶ指数マップを作成して携帯端末機に転送する（Ｓ６３０）。前記ＵＶ指数マップを受信した携帯端末機は、現在状況が使用者により設定された条件に該当するか否かを判断し（Ｓ６４０）、該当すると判断された場合、すなわち、携帯端末機が使用者により設定された警告条件に該当する地域に近接しているか、又は進入した場合、使用者により設定された警告手段により警告を実行する（Ｓ６５０）。また、周期的に携帯端末機が位置情報をサーバーに転送し、サーバーが前記位置情報を中心とする地域のＵＶ指数マップデータを転送することにより、周期的にＵＶ指数マップデータを更新する（Ｓ６６０）。
【００４０】
図６Ａ及び図６Ｂは、図５の実施形態のＵＶ指数警告設定画面を示す図である。
【００４１】
図６Ａを参照すると、ＵＶ指数警告設定画面のうち、時間条件を設定する画面であり、使用者が警告時間帯をＵＶの強い午後１２時３０分から午後５時までに設定した場合である。従って、ＵＶ指数警告機能は午後１２時３０分に実行されて午後５時に終了する。
【００４２】
図６Ｂを参照すると、ＵＶ指数警告設定画面のうち、警告距離条件及び警告手段を設定する画面であり、第１条件としてＵＶ指数が所定値以上の有害地域の５０ｍ（第１距離）以内に進入した場合にランプの点滅により警告するように設定し、第２条件としてＵＶ指数が所定値以上の有害地域の１０ｍ（第２距離）以内に進入した場合にベルにより警告するように設定した場合である。
【００４３】
例えば、使用者が警告時間帯を午後１２時３０分から午後４時までに設定し、第１条件の第１距離の境界円の半径を２０ｍに、警告手段をベルに設定すると共に、第２条件の第２距離の境界円の半径を１０ｍに、警告手段を振動に設定した場合、該当時間において、所定値以上のＵＶ指数検出地域が前記使用者を中心とする第１距離内へ進入すると、すなわち、使用者が前記地域に２０ｍ以内に接近すると、使用者が設定した警告手段により携帯端末機のベルが鳴り、使用者が前記地域に１０ｍ以内に接近すると、使用者が設定した２番目の警告手段により携帯端末機が振動を発する。
【００４４】
他にも、選択事項として「毎日」又は「月曜から土曜まで」などの曜日設定及び「５分ごとに通知」又は「１０分ごとに通知」などの通知間隔設定などに警告条件を設定することができる。
【００４５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４６】
紫外線指数情報を画面上に地図を利用して表示することにより、使用者が周辺地域の紫外線情報を容易に識別でき、さらに、使用者に所定水準以上の紫外線検出地域に進入したことを警告できる携帯端末機の紫外線指数情報提供装置及び方法を提供する。
【００４７】
携帯端末機の紫外線指数情報提供方法は、使用者により紫外線指数マップ表示機能が動作すると、携帯端末機がＧＰＳ機能を利用して現在位置を測定する過程と、現在位置の測定が完了すると、サーバーに現在位置の情報を転送し、紫外線指数マップのダウンロードを要求する過程と、前記携帯端末機から紫外線指数マップのダウンロードが要求されたサーバーが、前記携帯端末機から受信した位置情報を読み取り、該当位置を中心とする紫外線指数マップを作成して携帯端末機に転送する過程と、前記紫外線指数マップを受信した携帯端末機が使用者の表示設定により前記紫外線指数マップを画面に表示する過程と、周期的に紫外線指数マップを更新する過程と、から構成される。
【図面の簡単な説明】
【００４８】
【図１】本発明に係るＵＶ指数情報提供システムの一実施形態の構成を示す図である。
【図２】本発明に係る携帯端末機のＵＶ指数情報提供装置の構成を示す図である。
【図３】本発明に係る携帯端末機のＵＶ指数情報提供方法の一実施形態の実現過程を示す図である。
【図４Ａ】図３の実施形態のＵＶ指数マップ表示画面を示す図である。
【図４Ｂ】図３の実施形態のＵＶ指数マップ表示画面を示す図である。
【図５】本発明に係る携帯端末機のＵＶ指数情報提供方法の他の実施形態の実現過程を示す図である。
【図６Ａ】図５の実施形態のＵＶ指数警告設定画面を示す図である。
【図６Ｂ】図５の実施形態のＵＶ指数警告設定画面を示す図である。
【図７】従来の携帯用ＵＶ指数測定端末機の外形図である。
【符号の説明】
【００４９】
２００：ＵＶ指数情報提供システム
２１０−１〜２１０−Ｎ：ＵＶ指数測定器
２２０：サーバー
２２０−１：第１サーバー
２２０−２：第２サーバー
２３０：携帯端末機
３００：ＵＶ指数情報提供装置
３１０：無線送受信部
３２０：位置測定部
３３０：入力部
３４０：表示部
３５０：出力部
【図２】
2006017708.tif 000003
【図３】
2006017708.tif 000004
【図５】
2006017708.tif 000005
【図７】
2006017708.tif 000006
【図１】
2006017708.tif 000007
【図４Ａ】
2006017708.tif 000008
【図４Ｂ】
2006017708.tif 000009
【図６Ａ】
2006017708.tif 000010
【図６Ｂ】
2006017708.tif 000011